(57)【要約】【課題】鍋を誘導加熱する加熱コイルへの電流経路を導通遮断するスイッチング手段を有する炊飯器において、短絡検知手段でスイッチング手段の短絡を検知すると強制短絡手段で強制的に短絡電流を流し、電流遮断手段の溶断時間が短く安全な炊飯器を提供する。【解決手段】鍋１を誘導加熱する第１加熱コイル２への電流経路を第１スイッチング手段４により導通遮断し、交流電源５からの入力電流が所定値を超えると交流電源５からの電流経路を遮断する電流遮断手段６を有し、第１スイッチング手段４の短絡を検知する短絡検知手段１３の出力に応じて強制短絡手段１４により電流遮断手段６に電流を流すよう構成する。短絡検知手段１３は、制御手段１２が第１スイッチング手段４をオフしているとき、入力電流検知手段１１の出力が所定値を超えると第１スイッチング手段４を短絡と判定し、このとき強制短絡手段１４を導通するよう構成する。【選択図】図１
2006136372.tif 000002
【特許請求の範囲】
【請求項１】
鍋を誘導加熱する第１加熱コイルと、前記第１加熱コイルへの電流経路を導通遮断する第１スイッチング手段と、前記第１スイッチング手段をオンオフする制御手段と、交流電源を整流する整流手段と、前記交流電源から供給される入力電流を検知する入力電流検知手段と、前記交流電源からの入力電流が所定値を超えると前記交流電源からの電流経路を遮断する電流遮断手段と、前記第１スイッチング手段の短絡を検知する短絡検知手段と、前記短絡検知手段の出力に応じて前記電流遮断手段に電流を流す強制短絡手段とを備え、前記短絡検知手段は、前記制御手段が前記第１スイッチング手段をオフしているとき、前記入力電流検知手段の出力が所定値を超えると、前記第１スイッチング手段を短絡と判定し、前記強制短絡手段は前記短絡検知手段が第１スイッチング手段の短絡を検知したとき、導通するよう構成した炊飯器。
【請求項２】
鍋を誘導加熱する第１加熱コイルと、前記第１加熱コイルへの電流経路を導通遮断する第１スイッチング手段と、前記鍋を誘導過熱する第２加熱コイルと、前記第２加熱コイルへの電流経路を導通遮断する第２スイッチング手段と、前記第１スイッチング手段および前記第２スイッチング手段の導通遮断を制御する制御手段と、交流電源を整流する整流手段と、前記交流手段から供給される入力電流を検知する入力電流検知手段と、前記交流電源からの入力電流が所定値を超えると前記交流電源からの電流経路を遮断する電流遮断手段と、前記第１スイッチング手段または前記第２スイッチング手段の短絡を検知する短絡検知手段とを備え、前記短絡検知手段は、前記制御手段が前記第１スイッチング手段および前記第２スイッチング手段をオフしているとき、前記入力電流検知手段の出力が所定値を超えると前記第１スイッチング手段または前記第２スイッチング手段の短絡と判定し、前記第１スイッチング手段、前記第２スイッチング手段をともに導通するよう構成した炊飯器。
【請求項３】
第１スイッチング手段の両端電圧を検知する第１の電圧検知手段と、第２スイッチング手段の両端電圧を検知する第２の電圧検知手段とを備え、短絡検知手段は、制御手段が第１スイッチング手段をオフしているとき、前記第１の電圧検知手段の出力が所定値以下だと前記第２スイッチング手段のオンを維持し、前記第２スイッチング手段がオフのときに第２の電圧検知手段が所定値以下だと前記第１スイッチング手段の導通するようにした請求項２記載の炊飯器。
【請求項４】
炊飯器の炊飯履歴を記憶する記憶手段を備え、前記記憶手段は、短絡検知手段が短絡と判定したスイッチング手段の情報を記憶するようにした請求項３記載の炊飯器。
【発明の詳細な説明】
【技術分野】
【０００１】
本発明は、鍋を誘導加熱する加熱コイルへの電流経路を導通遮断するスイッチング手段を有する炊飯器に関するものである。
【背景技術】
【０００２】
従来、この種の炊飯器は、インバータ回路より加熱コイルに高周波電力を供給して、被加熱物を入れる鍋を加熱コイルにより誘導加熱し、インバータ回路を制御回路により制御するよう構成し、インバータ回路は、加熱コイルと並列接続された共振用コンデンサと、加熱コイルと直列接続されたスイッチング素子と、スイッチング素子と並列接続されたダイオードとからなり、制御回路は、スイッチング素子のオン時間を設定するオン時間設定回路と、スイッチング素子のオン時間を切り替えるオン時間切り替え手段とを有し、保温時の入力電力をオン時間切り替え手段で制御している（例えば、特許文献１参照）。
【０００３】
この種の炊飯器では、一般的に交流電源からの入力電流の経路に電流ヒューズなどの電流遮断手段を取り付けている。この電流ヒューズは、スイッチング素子またはダイオードがショートしたきに短絡電流が流れると断線し、交流電源からの電流経路を遮断するので、交流電源が短絡電流により発熱、焼損するのを防止することができる。
【特許文献１】特開平８−１０１３７号公報
【発明の開示】
【発明が解決しようとする課題】
【０００４】
しかしながら、このような従来の構成では、スイッチング素子とこのスイッチング素子に並列接続したダイオードとで構成するスイッチング手段がショートした場合、ショートしたスイッチング手段の抵抗値がばらつくので、この抵抗値が大きい場合、交流電源から流れる短絡電流が低下し、電流遮断手段の溶断時間が長くなるという問題を有していた。
【０００５】
本発明は上記従来の課題を解決するもので、短絡検知手段でスイッチング手段の短絡を検知すると強制短絡手段で強制的に短絡電流を流し、電流遮断手段の溶断時間を短くできる安全な炊飯器を提供することを目的とする。
【課題を解決するための手段】
【０００６】
本発明は上記目的を達成するために、鍋を誘導加熱する第１加熱コイルへの電流経路を第１スイッチング手段により導通遮断し、第１スイッチング手段を制御手段によりオンオフし、交流電源を整流手段により整流し、交流電源から供給される入力電流を入力電流検知手段により検知し、交流電源からの入力電流が所定値を超えると交流電源からの電流経路を遮断する電流遮断手段を有し、第１スイッチング手段の短絡を検知する短絡検知手段の出力に応じて強制短絡手段により電流遮断手段に電流を流すよう構成し、短絡検知手段は、制御手段が第１スイッチング手段をオフしているとき、入力電流検知手段の出力が所定値を超えると第１スイッチング手段を短絡と判定し、強制短絡手段は短絡検知手段が第１スイッチング手段の短絡を検知したとき、導通するよう構成したものである。
【０００７】
これにより、スイッチング手段がショートし、ショートしたスイッチング手段の抵抗値がばらつき、この抵抗値が大きくなっても、短絡検知手段がスイッチング手段の短絡を検知し、強制短絡手段が電流遮断手段に電流遮断手段が溶断するのに十分な大きさの短絡電流を流すので、電流遮断手段をすぐに溶断できる。
【発明の効果】
【０００８】
本発明の炊飯器は、電流遮断手段の溶断時間を短くできるので、ショートしたスイッチング手段や、加熱コイルに短絡電流が流れる時間が短くなり、スイッチング手段や加熱コイルの発熱を抑えることができ、安全な炊飯器を提供できる。
【発明を実施するための最良の形態】
【０００９】
第１の発明は、鍋を誘導加熱する第１加熱コイルと、前記第１加熱コイルへの電流経路を導通遮断する第１スイッチング手段と、前記第１スイッチング手段をオンオフする制御手段と、交流電源を整流する整流手段と、前記交流電源から供給される入力電流を検知する入力電流検知手段と、前記交流電源からの入力電流が所定値を超えると前記交流電源からの電流経路を遮断する電流遮断手段と、前記第１スイッチング手段の短絡を検知する短絡検知手段と、前記短絡検知手段の出力に応じて前記電流遮断手段に電流を流す強制短絡手段とを備え、前記短絡検知手段は、前記制御手段が前記第１スイッチング手段をオフしているとき、前記入力電流検知手段の出力が所定値を超えると、前記第１スイッチング手段を短絡と判定し、前記強制短絡手段は前記短絡検知手段が第１スイッチング手段の短絡を検知したとき、導通するよう構成したものであり、強制短絡手段により電流遮断手段に電流遮断手段が溶断するのに十分な大きさの短絡電流を流すことができて、電流遮断手段をすぐに溶断でき、ショートしたスイッチング手段や、加熱コイルに短絡電流が流れる時間を短くすることができ、スイッチング手段や加熱コイルの発熱を抑えることができて、安全な炊飯器を提供できる。
【００１０】
第２の発明は、鍋を誘導加熱する第１加熱コイルと、前記第１加熱コイルへの電流経路を導通遮断する第１スイッチング手段と、前記鍋を誘導過熱する第２加熱コイルと、前記第２加熱コイルへの電流経路を導通遮断する第２スイッチング手段と、前記第１スイッチング手段および前記第２スイッチング手段の導通遮断を制御する制御手段と、交流電源を整流する整流手段と、前記交流手段から供給される入力電流を検知する入力電流検知手段と、前記交流電源からの入力電流が所定値を超えると前記交流電源からの電流経路を遮断する電流遮断手段と、前記第１スイッチング手段または前記第２スイッチング手段の短絡を検知する短絡検知手段とを備え、前記短絡検知手段は、前記制御手段が前記第１スイッチング手段および前記第２スイッチング手段をオフしているとき、前記入力電流検知手段の出力が所定値を超えると前記第１スイッチング手段または前記第２スイッチング手段の短絡と判定し、前記第１スイッチング手段、前記第２スイッチング手段をともに導通するよう構成したものであり、電流遮断手段に電流遮断手段が溶断するのに十分な大きさの短絡電流が流れるので、電流遮断手段をすぐに溶断することができ、ショートしたスイッチング手段や、加熱コイルに短絡電流が流れる時間が短くなり、スイッチング手段や加熱コイルの発熱を抑えることができ、安全な炊飯器を提供できる。また、スイッチング手段を利用することにより基板の省スペース化が図れる。
【００１１】
第３の発明は、上記第２の発明において、第１スイッチング手段の両端電圧を検知する第１の電圧検知手段と、第２スイッチング手段の両端電圧を検知する第２の電圧検知手段とを備え、短絡検知手段は、制御手段が第１スイッチング手段をオフしているとき、前記第１の電圧検知手段の出力が所定値以下だと前記第２スイッチング手段のオンを維持し、前記第２スイッチング手段がオフのときに第２の電圧検知手段が所定値以下だと前記第１スイッチング手段の導通するようにしたものであり、どちらのスイッチング手段がショートしたかを第１の電圧検知手段と第２の電圧検知手段で精度良く検知することができ、電流遮断手段を溶断するかどうかを正確に判断することができ、安全性の高い炊飯器を提供できる。
【００１２】
第４の発明は、上記第３の発明において、炊飯器の炊飯履歴を記憶する記憶手段を備え、前記記憶手段は、短絡検知手段が短絡と判定したスイッチング手段の情報を記憶するようにしたものであり、第１スイッチング手段と第２スイッチング手段のいずれがショートしたかを確認することができるので、修理、改善が容易な炊飯器を提供できる。
【００１３】
以下、本発明の実施の形態について、図面を参照しながら説明する。なお、この実施の形態によって本発明が限定されるものではない。
【００１４】
（実施の形態１）
図１は、本発明の実施の形態１における炊飯器の一部ブロック化した要部回路図である。
【００１５】
図１に示すように、鍋１は、磁束を通す金属を複数用いた積層体で構成し、第１熱コイル２と磁気結合し、鍋１を第１加熱コイル２により誘導加熱するよう構成している。第１加熱コイル２は複数の銅線を束ねたリッツ線をさらに２０数本で撚った線で構成しており、高周波電流が流れたときの電流分布を均一にしている。
【００１６】
第１共振用コンデンサ３は第１加熱コイル２に並列接続しており、第１加熱コイル２と並列共振回路を構成している。この第１共振用コンデンサ３は高周波電流が流れても損失の少ないポリプロピレンコンデンサを使用している。
【００１７】
第１スイッチング手段４は、第１加熱コイル２への電流経路を導通遮断するもので、ＭＯＳＦＥＴやＩＧＢＴなどの半導体素子と、この半導体素子に逆接続した逆接続ダイオードで構成している。ＭＯＳＦＥＴやＩＧＢＴは耐圧が高く、高周波のスイッチングが可能で、大電流を流すことができるという利点がある。
【００１８】
交流電源５は炊飯器に電力を供給するもので、交流電源５の電源周波数は、東日本地域では５０Ｈｚ、西日本地域では６０Ｈｚとなっている。
【００１９】
電流遮断手段６は、交流電源５からの入力電流が所定値を超えると交流電源５からの電流経路を遮断するもので、ヒューズなどで構成し、定格電圧以下で定格値以上の電流が流れると溶断するものである。
【００２０】
整流手段７は、交流電源５を整流するもので、ダイオードブリッジ８、チョークコイル９、平滑用コンデンサ１０で構成している。ここで、平滑用コンデンサ１０の容量は数μＦと小さく、加熱コイル２に高周波電流を流した場合、リプルが生じる。本実施の形態では、このリプル電圧は、交流電源５の電圧と同じとなる。
【００２１】
入力電流検知手段１１は、交流電源５から供給される入力電流を検知するもので、カレントトランスなどで構成し、短絡検知手段１３に信号を送る。制御手段１２は、第１スイッチング手段４の導通遮断を制御するもので、マイクロコンピュータ内部のＡＤ変換器やＰＷＭ発生器などで構成し、スイッチング手段４と短絡検知手段１３にオンオフ信号を送る。
【００２２】
短絡検知手段１３は、第１スイッチング手段４の短絡を検知するもので、マイクロコンピュータを利用して構成しており、短絡検知手段１３の規定値Ｉｍａｘはマイクロコンピュータ内部のＲＯＭに記憶されている。短絡検知手段１３の入力はマイクロコンピュータ内部のＡＤ変換器を使用している。本実施の形態では、鍋１が加熱されていない状態を短絡検知手段１３が検出したときに、入力電流検知手段１１の値が規定値Ｉｍａｘより大きければ強制短絡手段１４にオン信号を送る。
【００２３】
強制短絡手段１４は、短絡検知手段１３の出力に応じて電流遮断手段６に電流を流すもので、リレーなどで構成し、短絡検知手段１３よりオン信号が送られるとオンする。
【００２４】
ここで、短絡検知手段１３は、制御手段１２が第１スイッチング手段４をオフしているとき、入力電流検知手段１１の出力が所定値を超えると、第１スイッチング手段４を短絡と判定し、このとき、強制短絡手段１４を導通するよう構成している。
【００２５】
鍋１は、図２に示すように、炊飯器本体２４の内部に着脱自在に収納し、炊飯器本体２４の上部に蓋２５を開閉自在に設けている。炊飯器本体２４の下部に、鍋１の下部と対向する位置に鍋１を誘導加熱する第１加熱コイル２を設けている。回路基板２６は、誘導加熱制御などを行うもので、この回路基板２６上にスイッチング手段４を取り付け、スイッチング手段４の放熱を行う冷却用ヒートシンク２７を設けている。冷却用ファン２８は冷却用ヒートシンク２７に風を当てて温度を低減するものである。
【００２６】
上記構成において動作を説明する。鍋１内に米と水を入れ、動作を開始すると、制御手段１２は、所定のシーケンスに基づいて、第１スイッチング手段４を制御し、第１加熱コイル２により鍋１を誘導加熱して炊飯工程と保温工程を実行する。
【００２７】
ここで、制御手段１２により第１スイッチング手段４をオフしているときに、入力電流検知手段１１の出力が所定値を超えると、短絡検知手段１３は第１スイッチング手段４を短絡と判定し、このとき、強制短絡手段１４を導通することで、電流遮断手段６に電流遮断手段６が溶断するのに十分な大きさの短絡電流を流すことができ、電流遮断手段６をすぐに溶断できる。
【００２８】
以上のように、本実施の形態においては、短絡検知手段１３は、制御手段１２が第１スイッチング手段４をオフしているとき、入力電流検知手段１１の出力が所定値を超えると、第１スイッチング手段４を短絡と判定し、このとき、強制短絡手段１４を導通するよう構成したので、強制短絡手段１４により電流遮断手段６に電流遮断手段６が溶断するのに十分な大きさの短絡電流を流すことができて、電流遮断手段６をすぐに溶断でき、ショートした第１スイッチング手段４や、第１加熱コイル２に短絡電流が流れる時間を短くすることができ、第１スイッチング手段４や第１加熱コイル２の発熱を抑えることができて、安全な炊飯器を提供できる。
【００２９】
（実施の形態２）
図３は、本発明の実施の形態２における炊飯器の一部ブロック化した要部回路図である。
【００３０】
図３に示すように、第２加熱コイル２０は、鍋１を誘導加熱するもので、鍋１と磁気結合しており、複数の銅線を束ねたリッツ線をさらに２０数本で撚った線で構成しており、高周波電流が流れたときの電流分布を均一にしている。
【００３１】
第２共振用コンデンサ１５は第２加熱コイル２０に並列接続しており、第２加熱コイル２０と並列共振回路を構成し、高周波電流が流れても損失の少ないポリプロピレンコンデンサを使用している。
【００３２】
第２スイッチング手段１６は、第２加熱コイル２０への電流経路を導通遮断するもので、ＭＯＳＦＥＴやＩＧＢＴなどの半導体素子と、この半導体素子に逆接続した逆接続ダイオードで構成している。ＭＯＳＦＥＴやＩＧＢＴは耐圧が高く、高周波のスイッチングが可能で、大電流を流すことができるという利点がある。
【００３３】
本実施の形態において、第２インバータ手段は第２加熱コイル２０、第２共振用コンデンサ１５、第２スイッチング手段１６で構成している。
【００３４】
第１制御手段１７は、第１スイッチング手段４の導通遮断を制御するもので、マイクロコンピュータ内部のＡＤ変換器やＰＷＭ発生器などで構成し、第１スイッチング手段４と短絡検知手段１９にオンオフ信号を送るよう構成し、第２制御手段１８は、第２スイッチング手段１６の導通遮断を制御するもので、マイクロコンピュータ内部のＡＤ変換器やＰＷＭ発生器などで構成し、第２スイッチング手段１６と短絡検知手段１９にオンオフ信号を送るよう構成している。
【００３５】
短絡検知手段１９は、第１スイッチング手段４または第２スイッチング手段１６の短絡を検知するもので、マイクロコンピュータを利用して構成し、この短絡検知手段１９の規定値Ｉｍａｘはマイクロコンピュータ内部のＲＯＭに記憶されている。短絡検知手段１９の入力はマイクロコンピュータ内部のＡＤ変換器を使用している。
【００３６】
ここで、短絡検知手段１９は、第１制御手段１７および第２制御手段１８が第１スイッチング手段４および第２スイッチング手段１６をそれぞれオフしているとき、入力電流検知手段１１の値が所定値（たとえば、規定値Ｉｍａｘ）より大きければ第１制御手段１７に第１スイッチング手段４がオンする信号を送り、第２制御手段１８にも第２スイッチング１６手段がオンする信号を送って、第１スイッチング手段４、第２スイッチング手段１６をともに導通するよう構成している。他の構成は上記実施の形態１と同じであり、同一符号を付して説明を省略する。
【００３７】
上記構成において動作を説明する。短絡検知手段１９は、第１制御手段１７および第２制御手段１８が第１スイッチング手段４および第２スイッチング手段１６をそれぞれオフしているとき、入力電流検知手段１１の出力が所定値を超えると第１スイッチング手段４または第２スイッチング手段１６の短絡と判定し、第１スイッチング手段４、第２スイッチング手段１６をともに導通することにより、電流遮断手段６に電流遮断手段６が溶断するのに十分な大きさの短絡電流が流れるので、電流遮断手段６をすぐに溶断できる。
【００３８】
以上のように、本実施の形態においては、短絡検知手段１９は、第１制御手段１７および第２制御手段１８が第１スイッチング手段４および第２スイッチング手段１６をそれぞれオフしているとき、入力電流検知手段１１の出力が所定値を超えると第１スイッチング手段４または第２スイッチング手段１６の短絡と判定し、第１スイッチング手段４、第２スイッチング手段１６をともに導通するよう構成したので、電流遮断手段６に電流遮断手段６が溶断するのに十分な大きさの短絡電流が流れるので、電流遮断手段６をすぐに溶断することができ、ショートした第１スイッチング手段４または第２スイッチング手段１６や、第１加熱コイル２または第２加熱コイル２０に短絡電流が流れる時間が短くなり、スイッチング手段や加熱コイルの発熱を抑えることができ、安全な炊飯器を提供できる。また、第１スイッチング手段４、第２スイッチング手段１６を利用することにより基板の省スペース化を図ることができる。
【００３９】
（実施の形態３）
図４は、本発明の実施の形態３における炊飯器の一部ブロック化した要部回路図である。
【００４０】
図４に示すように、第１電圧検知手段２３は、第１スイッチング手段４の両端電圧を検知するもので、マイクロコンピュータを利用して構成し、この第１電圧検知手段２３の規定値Ｖｍａｘ１はマイクロコンピュータ内部のＲＯＭに記憶されている。第１電圧検知手段２３の入力はマイクロコンピュータ内部のＡＤ変換器を使用している。本実施の形態では、第１電圧検知手段２３の値がＶｍａｘ１より大きければ短絡検知手段２２にスイッチング手段４が導通状態であると信号を送る。
【００４１】
第２電圧検知手段２１は、第２スイッチング手段１６の両端電圧を検知するもので、マイクロコンピュータを利用して構成し、この第２電圧検知手段２１の規定値Ｖｍａｘ２はマイクロコンピュータ内部のＲＯＭに記憶されている。第２電圧検知手段２１の入力はマイクロコンピュータ内部のＡＤ変換器を使用している。本実施の形態では、第２電圧検知手段２１の値がＶｍａｘ２より大きければ短絡検知手段２２にスイッチング手段１６が導通状態であると信号を送る。
【００４２】
短絡検知手段２２は、マイクロコンピュータを利用して構成し、この短絡検知手段２２の規定値Ｉｍａｘはマイクロコンピュータ内部のＲＯＭに記憶されている。短絡検知手段２２の入力はマイクロコンピュータ内部のＡＤ変換器を使用している。
【００４３】
ここで、短絡検知手段２２は、第１制御手段１７が第１スイッチング手段４をオフしているとき、第１の電圧検知手段２３の出力が所定値以下だと第２スイッチング手段１６のオンを維持し、第２スイッチング手段１６がオフのときに第２の電圧検知手段２１が所定値以下だと第１スイッチング手段４の導通するようにしている。他の構成は上記実施の形態２と同じであり、同一符号を付して説明を省略する。
【００４４】
上記構成において動作を説明する。短絡検知手段２２は、第１制御手段１７が第１スイッチング手段４をオフしているとき、第１の電圧検知手段２３の出力が所定値以下だと第２スイッチング手段１６のオンを維持し、第２スイッチング手段１６がオフのときに第２の電圧検知手段２１が所定値以下だと第１スイッチング手段４の導通することにより、電流遮断手段６に電流遮断手段６が溶断するのに十分な大きさの短絡電流が流れるので、電流遮断手段６をすぐに溶断できる。
【００４５】
以上のように、本実施の形態においては、短絡検知手段２２は、第１制御手段１７が第１スイッチング手段４をオフしているとき、第１の電圧検知手段２３の出力が所定値以下だと第２スイッチング手段１６のオンを維持し、第２スイッチング手段１６がオフのときに第２の電圧検知手段２１が所定値以下だと第１スイッチング手段４の導通するにしているので、ショートした第１スイッチング手段４または第２スイッチング手段１６や、第１加熱コイル２または第２加熱コイル２０に短絡電流が流れる時間が短くなり、スイッチング手段や加熱コイルの発熱を抑えることができ、安全な炊飯器を提供できる。
【００４６】
また、第１の電圧検知手段２３および第２の電圧検知手段２１により、それぞれ第１スイッチング手段４および第２スイッチング手段１６のショートを検知するので、どちらのスイッチング手段がショートしたかを第１の電圧検知手段２３と第２の電圧検知手段２１で精度よく検知することができ、電流遮断手段６を溶断するかどうかを正確に判断することができ、安全性の高い炊飯器を提供できる。
【００４７】
（実施の形態４）
図５は、本発明の実施の形態４における炊飯器の一部ブロック化した要部回路図である。
【００４８】
図５に示すように、記憶手段３１は、炊飯器の炊飯履歴を記憶するもので、マイクロコンピュータ内部のＲＡＭを使用して構成し、この記憶手段３１は短絡検知手段２２が短絡と判定したスイッチング手段の情報を記憶するようにしている。この情報は２ビットのデジタルデータである。他の構成は上記実施の形態２または３と同じであり、同一符号を付して説明を省略する。
【００４９】
上記構成において動作を説明する。記憶手段３１は、短絡検知手段２２が短絡と判定したスイッチング手段の情報を記憶することにより、第１スイッチング手段４と第２スイッチング手段１６のいずれがショートしたかを確認することができる。
【００５０】
以上のように、本実施の形態においては、記憶手段３１は、短絡検知手段２２が短絡と判定したスイッチング手段の情報を記憶するようにしたので、第１スイッチング手段４と第２スイッチング手段１６のいずれがショートしたかを確認することができるので、修理、改善が容易な炊飯器を提供できる。
【産業上の利用可能性】
【００５１】
以上のように、本発明にかかる炊飯器は、電流遮断手段の溶断時間を短くできるので、ショートしたスイッチング手段や、加熱コイルに短絡電流が流れる時間が短くなり、スイッチング手段や加熱コイルの発熱を抑えることができ、安全な炊飯器を提供できるので、鍋を誘導加熱する加熱コイルへの電流経路を導通遮断するスイッチング手段を有する炊飯器として有用である。
【図面の簡単な説明】
【００５２】
【図１】本発明の実施の形態１における炊飯器の一部ブロック化した要部回路図
【図２】同炊飯器の断面図
【図３】本発明の実施の形態２における炊飯器の一部ブロック化した要部回路図
【図４】本発明の実施の形態３における炊飯器の一部ブロック化した要部回路図
【図５】本発明の実施の形態４における炊飯器の一部ブロック化した要部回路図
【符号の説明】
【００５３】
１  鍋
２  第１加熱コイル
４  第１スイッチング手段
５  交流電源
６  電流遮断手段
７  整流手段
１１  入力電流検知手段
１２  制御手段
１３  短絡検知手段
１４  強制短絡手段
【図１】
2006136372.tif 000003
【図２】
2006136372.tif 000004
【図３】
2006136372.tif 000005
【図４】
2006136372.tif 000006
【図５】
2006136372.tif 000007